(57)【要約】【課題】金属、ウエハといった表面の反射が均一(鏡面状態)に近いものの表面に印字されたバーコードを読み取る際、周囲環境（電灯やエアコン等）が表面に映り込み、バーコード部と重なって読み取りエラーが発生するという問題点があった。【解決手段】この発明に係る光学情報読取装置は、例えばバーコード読取り手段とバーコード部とのコントラストが得られる無地の板材を、バーコード読取り面に映し込ませるようにしたものである。そうすると、無地の板材の影によって、バーコードのコントラストが良くなる。したがって、簡単な構成で周囲環境の映り込みの影響がなく、かつコントラストが良くなるため安定した読み取りができる。【選択図】図１
2014086016.tif 000002
【特許請求の範囲】
【請求項１】
被測定物上の標識を読取るための読取手段と、
周囲環境の映り込みの光を遮光する板材と、
前記読取手段に前記板材を固定する固定冶具とを有し、
前記板材は、前記読取手段の標識を読取る視野外に配置されて固定されてなることを特徴とする光学情報読取装置。
【請求項２】
被測定物上の標識を読取るための読取手段と、
周囲環境の映り込みの光を遮光する板材とを有し、
前記読取手段と前記板材とは、前記標識が配置される位置に立てた垂線に対して等角度の方向に配置され、且つ、前記読取手段と前記標識が配置される位置とを結ぶ線と、前記板材と前記標識が配置される位置とを結ぶ線とは、同一平面上にあることを特徴とする光学情報読取装置。
【請求項３】
被測定物上の標識を読取るための読取手段と、
周囲環境の映り込みの光を遮光する板材と、
前記読取手段を支持し且つ前記被測定物を載置する架台とを有し、
前記読取手段と前記板材とは、前記標識が配置される位置に立てた垂線に対して等角度の方向に配置され、且つ、前記読取手段と前記標識が配置される位置とを結ぶ線と、前記板材と前記標識が配置される位置とを結ぶ線とは、同一平面上にあることを特徴とする光学情報読取装置。
【請求項４】
読取手段と固定治具との間に設けられた前記読取手段を回転可能に支持する読取手段支持部と、
板材と前記固定治具との間に設けられた前記板材を回転可能に支持する板材支持部とを備え、
前記固定治具は、その長さが可変であることにより前記読取手段と前記板材とを任意の距離に固定可能であることを特徴とする請求項２または請求項３のいずれかに記載の光学情報読取装置。
【請求項５】
板材は、読取手段と隙間を空けた形で離間して固定され、
前記隙間から前記読取手段の標識を読取る視野が観察可能となっていることを特徴とする、請求項１から請求項３のうちのいずれか１項に記載の光学情報読取装置。
【請求項６】
板材の表面の色を白色かつ無模様としたことを特徴とする、請求項１から請求項３のうちのいずれか１項に記載の光学情報読取装置。
【発明の詳細な説明】
【技術分野】
【０００１】
この発明は、バーコードや二次元コード等の標識を読取る光学情報読取装置に関するものである。
【背景技術】
【０００２】
従来の光学情報読取装置には、バーコード読み取り装置や二次元コードを読取る装置があった。
また、かかる読取装置には接触型と非接触型があり、非接触型のバーコード読取装置は外乱光の影響を受けやすい。例えば、バーコードを印字する被測定物にはガラスや金属等もあり、ガラスなどの透明または半透明な被測定物に印字されているバーコード等に対しては、特に外乱光の影響を受けやすかった。例えば、図７中の（ａ）に示すように、電灯２１からの光が被測定物４に映り込んで、図７中の（ｂ）のようにバーコード５と重なってしまうことがあり、バーコード読取装置にとっては外乱となっていた。
また、従来の接触式のバーコード読取装置等では、被測定物と接触させるため、ウエハや太陽電池セル等の薄い製品では、読取りの際に被測定物が割れる可能性があったので、傷がつきやすい物や割れる可能性がある物のコード読取には使えなかった。
そこで、例えば特許文献１に記載の読取装置では、ガラスなどの背面からの外部照明光を遮光する位置に遮光板を配置することで、裏面からの外乱を遮る方法が採られていた。
【先行技術文献】
【特許文献】
【０００３】
【特許文献１】特開２００２‐２３６８７３号公報
【発明の概要】
【発明が解決しようとする課題】
【０００４】
しかしながら、従来の光学情報読取装置では、金属、ウエハといった表面の反射が均一(鏡面状態)に近い物の表面に印字されたバーコード等を読取る際には、電灯やエアコン、天井の模様等の周囲環境が表面に映り込むので、これらの映り込みとバーコード等とが重なって読取られてしまうこととなり、結果として読取エラーが発生するという問題があった。つまり、裏面からの外乱を遮ることはできても、表面からの外乱を遮ることはできなかった。
また、ウエハや太陽電池セル等の薄い製品では、読み取りの際に被測定物が割れる可能性があるため、被測定物をイメージセンサと遮光板との間に挟みこむ形式の光学情報読取装置は使いづらかった。
【０００５】
そこで、本発明は、上記のような問題点を解決するためになされたものであり、安定してバーコード等の標識の読取を行える光学情報読取装置を提供することを目的としている。
【課題を解決するための手段】
【０００６】
この発明に係る光学情報読取装置は、被測定物上の標識を読取るための読取手段と、周囲環境の映り込みの光を遮光する板材と、読取手段に板材を固定する固定冶具とを有し、板材は、読取手段の標識を読取る視野外に配置されて固定されてなることを備えたことを特徴とするものである。
【０００７】
また、この発明に係る光学情報読取装置は、被測定物上の標識を読取るための読取手段と、
周囲環境の映り込みの光を遮光する板材とを有し、読取手段と板材とは、標識が配置される位置に立てた垂線に対して等角度の方向に配置され、且つ、読取手段と標識が配置される位置とを結ぶ線と、板材と前記標識が配置される位置とを結ぶ線とは、同一平面上にあることを備えたことを特徴とするものである。
【発明の効果】
【０００８】
本発明に係る光学情報読取装置においては、上記のように構成したので、周囲環境の映り込みの影響が抑制でき、かつコントラストが良くなる。そのため、安定した標識の読取りが可能となる。
【図面の簡単な説明】
【０００９】
【図１】本発明の実施の形態１に係わる光学情報読取装置の構成を側面から見た模式図である。
【図２】本発明の実施の形態１に係わる光学情報読取装置の上面から見た模式図である。
【図３】本発明の実施の形態１に係わる被測定物上の標識を模式的に示した図である。
【図４】本発明の実施の形態２に係わる光学情報読取装置の構成を側面から見た模式図である。
【図５】本発明の実施の形態２に係わる光学情報読取装置の上面から見た模式図である。
【図６】本発明の実施の形態２に係わる光学情報読取装置の構成を側面から見た模式図である。
【図７】従来の光学情報読取装置における外乱の影響を示す図である。
【発明を実施するための形態】
【００１０】
実施の形態１．
本形態では、一例としてバーコードを読取る場合を説明するが、発明の対象となる光学情報読取装置は、標識としてバーコードに限られずマトリックス型二次元コードでも同様に読取れる。
【００１１】
はじめに、本発明の光学情報読取装置の全体構成について、図面を参照しながら説明する。なお、図は模式的なものであり、示された構成要素の正確な大きさなどを反映するものではない。特記する場合を除いて、光学情報読取装置の全体構成は全ての実施の形態において共通である。また、同一の符号を付したものは、同一またはこれに相当するものであり、このことは明細書の全文において共通する。
【００１２】
図１は、本形態に係る光学情報読取装置を側面から見た場合の模式図である。また図２は、同装置を上から見た模式図である。
本形態に係わる光学情報読取装置は、大別して、バーコード読取り手段１、板材２、固定治具３を備えている。また、バーコード読取り手段１と板材２とは、固定治具３で互いに連結されている。
【００１３】
被測定物上の標識であるバーコード部５を読取るためのバーコード読取り手段１は、固定冶具３によって、周囲環境の映り込みの光を遮光する板材２と連結されて所定の距離及び所定の角度で固定されている。また、板材２は、バーコード読取り手段１のバーコードを読取る視野の外に配置されて固定されている。かかる位置に固定するのは、バーコードを読取る際に板材２が視野に入ると、板材２によってバーコードが読めないからであり、周囲環境の映り込みの光を遮光するためには、後述する位置に板材２を適宜配置すればよいからである。
【００１４】
なお、バーコード読取り手段１は、ハンディ式のものを例にしているが、設置式でも可能である。また、板材２は被測定物４上のバーコード部５とのコントラストが得られる無地のものであり、重さ、加工のし易さ、傷の付きにくさから白色の高硬質塩ビプレートを用いることが好ましいが、白色プレートや紙等も代用できる。なお、白色に限らず、被測定物４の色に合わせて、コントラストの得られる板材２に変更が可能である。
【００１５】
バーコード読取り手段１は、例えば、CCD方式のものが使用可能である。CCD方式のバーコードスキャナは、CCD(Charge Coupled Device)と呼ばれる光情報を電気信号に変換する半導体素子を用いてバーコードを読み取る方式である。CCDとして例えばラインセンサ（リニアセンサ）を用い、読取り手段に内臓している照明をバーコードに当て、その反射光をCCDで捉える事で読み取る。また、CCD方式の他にレーザー方式でもよい。
【００１６】
また、本形態の光学情報読取装置の使用時には、次のような関係になるように使用する。
固定治具３は、バーコード読取り手段１と板材２をバーコード部５の平面の中心を通る垂線に対し、角度θで正反射の関係となる位置に配置する。バーコード面５からバーコード読取り手段１までの距離と固定治具３の長さはバーコード読取り手段１の性能によって決まる。なお、バーコード読取り手段１と板材２の角度を被測定物４に対して入射角と反射角との関係に保つことが重要であるが、角度θは板材２が読取り面に映り込む角度であれば良く、角度は板材２の大きさに応じてある程度の幅がある。つまり、板材２が大きければ、角度θの各度は、入射角と反射角との関係から外れていても良い。
【００１７】
ここで、本形態に係わる光学情報読取装置の作用効果について説明する。
上記のような構成によれば、バーコード読取り手段１と板材２の角度を被測定物４に対して入射角と反射角との関係に保つことができる。すなわち、周囲環境の映り込みの光が被測定物４の表面にあたって反射し、バーコード読取り手段１に向かう場合に映り込みが生じるので、光の反射の法則（入射角＝反射角）が成り立つ角度θになるように、バーコード読取り手段１、板材２とバーコード部５を配置すれば、板材２が周囲環境の映り込みの光を遮断する。
【００１８】
そして、バーコード読取り手段１とバーコード部５とのコントラストが得られる無地の板材２をバーコード読取り面に映し込ませる角度θで固定することにより、バーコード読取り面では板材２がバーコード印字面に映り込む。かかる状態を示したのが図３に示す状態であり、図３に示した像がバーコード読取り手段１で読込まれる。なお、図３中に符号９で示したのが、バーコード印字面に映り込んだ板材２の反射像９である。
【００１９】
したがって、図３に示すように、バーコード読取り面では板材２がバーコード印字面の背景として映り込んでいるため、周囲環境の映り込みの影響をなくすことができる。これによりバーコード印字面とのコントラストが良い読取り面を安定して得られる。
また、従来技術ではバーコード読取り手段１や板材２によってバーコード部５が遮られが、本形態の例ではバーコード部５の位置を確認しながら読取りを行える。
【００２０】
以上をまとめると、バーコード読取り手段１とバーコード部５とのコントラストが得られる無地の板材２を、バーコード読取り面に映し込ませる角度で固定治具３によって固定することにより、周囲環境の映り込みの影響を受けず、かつコントラストが良くなるため安定した読取りができる。
【００２１】
なお、バーコード読取り手段１と板材２の角度を被測定物４に対して入射角と反射角との関係に保つことが重要であるが、角度θは板材２が読取り面に映り込む角度であれば良く、角度θは板材２の大きさに応じてある程度の幅がある。
【００２２】
実施の形態２．
図４は、本形態に係る光学情報読取装置を側面から見た場合の模式図である。また図５は、同装置を上から見た模式図である。
実施の形態１の構成はすべて固定であるのに対し、本形態に係る光学情報読取装置の場合は、バーコード読取り手段１と板材２は回転機構を持ち、固定治具３の長さも可変式となっている。
【００２３】
具体的には、図４のようにバーコード読取り手段回転部６と板材回転部７、固定治具３にある板材可動部８が構成として追加されている。この構成により、バーコード読取り手段１と板材２の各々の角度と距離を変えられる。回転部（バーコード読取り手段回転部６と板材回転部７）としては、例えば、蝶ねじによりバーコード読取り手段と固定治具３を連結すれば、蝶ねじを緩めて回転可能とでき、蝶ねじを締めてしまえば任意の角度で固定できる。
【００２４】
実施の形態１と同様、本形態においても、バーコード読取り手段１と板材２の角度を被測定物４に対して入射角と反射角との関係に保つことができるが、板材２が読取り面に映り込む角度であれば良く、その角度に限ったものではない。
【００２５】
本形態に係る光学情報読取装置では、バーコード読取り手段１の傾きに応じて、板材２の角度と距離を変更できるため、バーコード読取り手段１の角度に余裕を持たせることができる。これにより、読取りに持ちやすい角度に個人差がある場合でも対応できる。
【００２６】
なお、図中ではハンディ式のものを例にしているが、設置式でも可能である。かかる例を図６に示す。
図６において、被測定物上の標識を読取るためのバーコード読取り手段１と、周囲環境の映り込みの光を遮光する板材２とは、固定冶具３で連結されている。また、バーコード読取り手段１は、架台３０によって支持されている。さらに、架台３０には被測定物を載置するステージを有している。バーコード読取り手段１と板材２は回転機構を持ち、固定治具３の長さも可変式となっている。
【００２７】
なお、バーコード読取り手段１、バーコード部５と板材２の位置関係は上述した例と同じである。すなわち、バーコード読取り手段１と板材２とは、バーコード部５が配置される位置に立てた垂線に対して等角度の方向に配置され、且つ、バーコード読取り手段１とバーコード部５が配置される位置とを結ぶ線と、板材２とバーコード部５が配置される位置とを結ぶ線とは、同一平面状にある。また、設置式では、固定冶具３を省略しバーコード読取り手段１と板材２は分離していてもよい。板材２を架台３０によって支持すればよいからである。
【００２８】
本形態によれば、簡単な構成で、周囲環境の映り込みの影響がなく、かつコントラストが良くなるため安定した読み取りができる。また、板材２を大きくすることも可能なためバーコード読み取り手段１の傾きに余裕を持たせることができる。そのため、読み取りに持ちやすい角度に個人差がある場合でも対応できる。
【符号の説明】
【００２９】
１  バーコード読取り手段、２  板材、３  固定治具、４  被測定物、５  バーコード部、６  バーコード読取り手段回転部、７  板材回転部、８  板材可動部、９  板材の反射像。
【図１】
2014086016.tif 000003
【図２】
2014086016.tif 000004
【図３】
2014086016.tif 000005
【図４】
2014086016.tif 000006
【図５】
2014086016.tif 000007
【図６】
2014086016.tif 000008
【図７】
2014086016.tif 000009